(57)【要約】
2021516888.tif 000038
2021516888.tif 000002
【特許請求の範囲】
【請求項１】
2021516888.tif 000027
【請求項２】
2021516888.tif 000028
【請求項３】
前記ネットワークデバイスの指示情報は、
ＢＷＰの指示情報、制御リソースセットの指示情報、探索空間セットの指示情報のうちの少なくとも１つを含む
ことを特徴とする請求項１に記載のチャネル検出方法。
【請求項４】
2021516888.tif 000029
【請求項５】
前記ネットワークデバイスの指示情報は、下り制御情報ＤＣＩ、無線ソース制御ＲＲＣシグナリング、又はシステム情報ＳＩである
ことを特徴とする請求項１〜４のいずれか１項に記載のチャネル検出方法。
【請求項６】
前記方法は、さらに、
前記端末が前記Ｋ個のＢＷＰのうちの下り制御チャネルによりスケジューリングされるリソースを決定することを含み、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む
ことを特徴とする請求項１〜５のいずれか１項に記載のチャネル検出方法。
【請求項７】
2021516888.tif 000030
【請求項８】
2021516888.tif 000031
【請求項９】
2021516888.tif 000032
【請求項１０】
前記ネットワークデバイスの指示情報は、
ＢＷＰの指示情報、制御リソースセットの指示情報、探索空間セットの指示情報のうちの少なくとも１つを含む
ことを特徴とする請求項７〜９のいずれか１項に記載のチャネル検出方法。
【請求項１１】
前記ネットワークデバイスの指示情報は、ＤＣＩ、ＲＲＣシグナリング、又はＳＩである
ことを特徴とする請求項７〜１０のいずれか１項に記載のチャネル検出方法。
【請求項１２】
前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む
ことを特徴とする請求項７〜１１のいずれか１項に記載のチャネル検出方法。
【請求項１３】
2021516888.tif 000033
【請求項１４】
2021516888.tif 000034
【請求項１５】
前記ネットワークデバイスの指示情報は、
ＢＷＰの指示情報、制御リソースセットの指示情報、探索空間セットの指示情報のうちの少なくとも１つを含む
ことを特徴とする請求項１３に記載のチャネル検出装置。
【請求項１６】
前記検出ユニットは、前記ＢＷＰの指示情報に基づいて決定されたＢＷＰにおいて下り制御チャネルを検出し、及び／又は、前記制御リソースセットの指示情報に基づいて決定された制御リソースセットにおいて下り制御チャネルを検出し、及び／又は、前記探索空間セットの指示情報に基づいて決定された探索空間セットにおいて下り制御チャネルを検出するように構成される
ことを特徴とする請求項１５に記載のチャネル検出装置。
【請求項１７】
前記ネットワークデバイスの指示情報は、ＤＣＩ、ＲＲＣシグナリング、又はＳＩである
ことを特徴とする請求項１３〜１６のいずれか１項に記載のチャネル検出装置。
【請求項１８】
第２の決定ユニットをさらに含み、
前記第２の決定ユニットは、前記Ｋ個のＢＷＰのうちの下り制御チャネルによりスケジューリングされるリソースを決定するように構成され、ここで、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む
ことを特徴とする請求項１３〜１７のいずれか１項に記載のチャネル検出装置。
【請求項１９】
2021516888.tif 000035
【請求項２０】
2021516888.tif 000036
【請求項２１】
2021516888.tif 000037
【請求項２２】
前記指示情報は、
ＢＷＰの指示情報、制御リソースセットの指示情報、探索空間セットの指示情報のうちの少なくとも１つを含む
ことを特徴とする請求項１９〜２１のいずれか１項に記載のチャネル検出装置。
【請求項２３】
前記指示情報は、ＤＣＩ、ＲＲＣシグナリング、又はＳＩである
ことを特徴とする請求項１９〜２２のいずれか１項に記載のチャネル検出装置。
【請求項２４】
前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む
ことを特徴とする請求項１９〜２３のいずれか１項に記載のチャネル検出装置。
【請求項２５】
プロセッサによって実行されると、請求項１〜６のいずれか１項に記載の方法ステップ、又は請求項７〜１２のいずれか１項に記載の方法ステップを実現するコンピュータ実行可能命令を記憶した
ことを特徴とするコンピュータ記憶媒体。
【発明の詳細な説明】
【技術分野】
【０００１】
本発明は、無線通信技術分野に関し、特に、チャネル検出方法、装置及びコンピュータ記憶媒体に関する。
【背景技術】
【０００２】
ロングタームエボリューション( ＬＴＥ、Ｌｏｎｇ Ｔｅｒｍ Ｅｖｏｌｕｔｉｏｎ )システムでは、端末の周波数領域リソースは、システム帯域幅全体にわたって割り当てられる。第５世代( ５Ｇ、５ ｔｈ Ｇｅｎｅｒａｔｉｏｎ )の新規ラジオ( ＮＲ、Ｎｅｗ Ｒａｄｉｏ )システムでは、システム帯域幅が大幅に増加するため、端末の伝送帯域幅がシステム帯域幅の一部しか占有することができない。
【０００３】
現在の５Ｇ ＮＲの研究では、帯域幅部分( ＢＷＰ、Ｂａｎｄ Ｗｉｄｔｈ Ｐａｒｔ )概念を導入し、システム帯域幅よりも狭い範囲の周波数領域リソース割り当てを実現することが決定されている。基地局は、無線リソース制御( ＲＲＣ、Ｒａｄｉｏ Ｒｅｓｏｕｒｃｅ Ｃｏｎｔｒｏｌ )シグナリングにより複数のＢＷＰを構成し、その後、下り制御情報( ＤＣＩ、Ｄｏｗｎｌｉｎｋ Ｃｏｎｔｒｏｌ Ｉｎｆｏｒｍａｔｉｏｎ )の中で動的にあるＢＷＰを活性化してもよい。各ＢＷＰは、１つのパラメータセットに基づき、パラメータセットは、サブキャリア間隔、サイクリックプレフィックス( ＣＰ、Ｃｙｃｌｉｃ Ｐｒｅｆｉｘ )を含む。この方式では、１つの端末に対して１つのＢＷＰのみを活性化し、新たなＢＷＰを活性化すると同時に、元のＢＷＰを非活性化する。
【０００４】
図１に示すように、ＢＷＰ１が活性化状態にあるとき、ＢＷＰ２を活性化すれば、ＢＷＰ１は非活性化され、ＢＷＰ１が再び活性化される場合、ＢＷＰ２は非活性化される。ＢＷＰ毎に物理下り制御チャネル( ＰＤＣＣＨ、Ｐｈｙｓｉｃａｌ Ｄｏｗｎｌｉｎｋ Ｃｏｎｔｒｏｌ Ｃｈａｎｎｅｌ )の制御リソースセット( ＣＯＲＥＳＥＴ、Ｃｏｎｔｒｏｌ Ｒｅｓｏｕｒｃｅ Ｓｅｔ )及び探索空間( ＳＳ、Ｓｅａｒｃｈ Ｓｐａｃｅ )がそれぞれ構成されており、あるＢＷＰが活性化されると、端末は、このＢＷＰに対応するＣＯＲＥＳＥＴ / ＳＳ配置に従ってＰＤＣＣＨをブラインド検出する。
【０００５】
従来技術では、複数のＢＷＰを同時に活性化することをサポートできず、複数のパラメータセットを同時に使用することをサポートできず、複数のタイプのサービスを並列に伝送する際に、異なるサービスに対してパラメータセットをそれぞれ最適化することができない。さらに、２つのパラメータセットを切り替えると、２つのＢＷＰが切り替わり、端末の無線周波数帯域が切り替わり、無線周波数帯域が切り替わることにより、端末がデータを受信または送信できなくなる期間が生じ、スペクトルリソースが浪費される。
【０００６】
しかし、複数のＢＷＰを同時に活性化すると、１つの端末が複数のＢＷＰで同時にＰＤＣＣＨを検出することになり、シグナリングオーバーヘッドの浪費と端末の複雑度及び消費電力の上昇を招く。図２に示すように、ＢＷＰ１のサブキャリア間隔= １５ ｋＨｚ、ＢＷＰ２のサブキャリア間隔= ３０ ｋＨｚである。ＢＷＰ１およびＢＷＰ２では、各タイムスロットに２つの探索空間セットがある。ＢＷＰ１における探索空間のセットは、時間領域においてＢＷＰ２の探索空間と部分的に重複し、これにより、ある時点で、端末は、２つのＢＷＰで同時にＰＤＣＣＨを検出しなければならず、追加の制御シグナリングと、より高い端末複雑性と、消費電力とをもたらすことが分かる。
【発明の概要】
【０００７】
本発明の実施例は、以上の課題を解決するために、チャネル検出方法、装置及びコンピュータ記憶媒体を提供する。
【０００８】
2021516888.tif 000003
【０００９】
2021516888.tif 000004
【００１０】
本発明の実施例において、前記ネットワークデバイスの指示情報は、
ＢＷＰの指示情報、制御リソースセットの指示情報、探索空間セットの指示情報のうちの少なくとも１つを含む。
【００１１】
2021516888.tif 000005
【００１２】
本発明の実施例において、前記ネットワークデバイスの指示情報は、ＤＣＩ、ＲＲＣシグナリング、又はシステム情報（ＳＩ、Ｓｙｓｔｅｍ Ｉｎｆｏｒｍａｔｉｏｎ）である。
【００１３】
本発明の実施例において、前記方法は、さらに、
前記端末が前記Ｋ個のＢＷＰのうちの下り制御チャネルによりスケジューリングされるリソースを決定することを含み、ここで、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００１４】
2021516888.tif 000006
【００１５】
2021516888.tif 000007
【００１６】
2021516888.tif 000008
【００１７】
本発明の実施例において、前記ネットワークデバイスの指示情報は、
ＢＷＰの指示情報、制御リソースセットの指示情報、探索空間セットの指示情報のうちの少なくとも１つを含む。
【００１８】
本発明の実施例において、前記ネットワークデバイスの指示情報は、ＤＣＩ、ＲＲＣシグナリング、又はＳＩである。
【００１９】
本発明の実施例において、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００２０】
2021516888.tif 000009
【００２１】
2021516888.tif 000010
【００２２】
本発明の実施例において、前記ネットワークデバイスの指示情報は、
ＢＷＰの指示情報、制御リソースセットの指示情報、探索空間セットの指示情報のうちの少なくとも１つを含む。
【００２３】
本発明の実施例において、前記検出ユニットは、前記ＢＷＰの指示情報に基づいて決定されたＢＷＰにおいて下り制御チャネルを検出し、及び／又は、前記制御リソースセットの指示情報に基づいて決定された制御リソースセットにおいて下り制御チャネルを検出し、及び／又は、前記探索空間セットの指示情報に基づいて決定された探索空間セットにおいて下り制御チャネルを検出するように構成される。
【００２４】
本発明の実施例において、前記ネットワークデバイスの指示情報は、ＤＣＩ、ＲＲＣシグナリング、又はＳＩである。
【００２５】
本発明の実施例において、前記装置は、さらに、第２の決定ユニットを含み、
第２の決定ユニットは、前記Ｋ個のＢＷＰのうちの下り制御チャネルによりスケジューリングされるリソースを決定するように構成され、ここで、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００２６】
2021516888.tif 000011
【００２７】
2021516888.tif 000012
【００２８】
2021516888.tif 000013
【００２９】
本発明の実施例において、前記指示情報は、
ＢＷＰの指示情報、制御リソースセットの指示情報、探索空間セットの指示情報のうちの少なくとも１つを含む。
【００３０】
本発明の実施例において、前記指示情報は、ＤＣＩ、ＲＲＣシグナリング、又はＳＩである。
【００３１】
本発明の実施例において、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００３２】
本発明の実施例は、プロセッサによって実行されると、上述したチャネル検出方法を実現するコンピュータ実行可能命令を記憶したコンピュータ記憶媒体を提供する。
【００３３】
2021516888.tif 000014
【図面の簡単な説明】
【００３４】
本明細書に記載された図面は、本発明の更なる理解を提供するために提供されたものであり、本願の一部を構成し、本発明の例示的な実施形態及びその説明は、本発明を説明するためのものであり、本発明を限定するものではない。
【図１】１つのＢＷＰのみが活性化状態になることができる模式図である。
【図２】複数のＢＷＰの場合に全ての探索空間セットにおいてＰＤＣＣＨ検出を行う模式図である。
【図３】本発明の実施例におけるチャネル検出方法のフローチャート一である。
【図４】本発明の実施例におけるチャネル検出方法ののフローチャート二である。
【図５】本発明の実施例における所定の規則でＰＤＣＣＨ検出のＢＷＰを決定する模式図である
【図６】本発明の実施例におけるネットワークデバイスの明示的指示によるＰＤＣＣＨの検出のためのＢＷＰの決定を示す模式図である。
【図７】本発明の実施例におけるチャネル検出装置の構成図一である。
【図８】本発明の実施例におけるチャネル検出装置の構成図二である。
【図９】本発明の実施例におけるコンピュータデバイスの構成図である。
【発明を実施するための形態】
【００３５】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００３６】
2021516888.tif 000015
【００３７】
本発明の実施例において、前記端末は、携帯電話、タブレット、ラップトップ、デスクトップなど、ネットワークと通信できる任意の機器であってよい。
【００３８】
本発明の実施例において、前記ネットワークデバイスは、基地局、例えば５ＧシステムのｇＮＢである。
【００３９】
本発明の実施例において、端末に対応するＮ個の下りＢＷＰが活性化状態にあり、Ｎ≧２、例えば、ＢＷＰ１、ＢＷＰ２、ＢＷＰ３、ＢＷＰ４が活性化状態にあり、ここで、ＢＷＰ１にＣ１個の制御リソースセット及びＳ１個の探索空間セットが構成されており、なお、１つのＢＷＰが複数の制御リソースセットを含み、１つの制御リソースセットが複数の探索空間セットを含み、同様に、ＢＷＰ２にＣ２個の制御リソースセット及びＳ２個の探索空間セットが構成されており、ＢＷＰ３にＣ３個の制御リソースセット及びＳ３個の探索空間セットが構成されており、ＢＷＰ４にＣ４個の制御リソースセット及びＳ４個の探索空間セットが構成されておる。
【００４０】
2021516888.tif 000016
【００４１】
2021516888.tif 000017
【００４２】
これにより、前記端末が前記ＢＷＰの指示情報に基づいて決定されたＢＷＰにおいて下り制御チャネルを検出し、及び／又は、前記端末が前記制御リソースセットの指示情報に基づいて決定された制御リソースセットにおいて下り制御チャネルを検出し、及び／又は、前記端末が前記探索空間セットの指示情報に基づいて決定された探索空間セットにおいて下り制御チャネルを検出する。
【００４３】
ある実施例において、前記ネットワークデバイスの指示情報は、ＤＣＩ、ＲＲＣシグナリング、又はＳＩである。
【００４４】
2021516888.tif 000018
【００４５】
例えば、端末に対応するＢＷＰ１、ＢＷＰ２、ＢＷＰ３、ＢＷＰ４が活性化状態にあり、ここで、ＢＷＰ１にＣ１個の制御リソースセット及びＳ１個の探索空間セットが構成され、なお、１つのＢＷＰが複数の制御リソースセットを含み、１つの制御リソースセットが複数の探索空間セットを含み、同様に、ＢＷＰ２にＣ２個の制御リソースセット及びＳ２個の探索空間セットが構成され、ＢＷＰ３にＣ３個の制御リソースセット及びＳ３個の探索空間セットが構成され、ＢＷＰ４にＣ４個の制御リソースセット及びＳ４個の探索空間セットが構成される。
【００４６】
2021516888.tif 000019
【００４７】
以上の例では、一部のＢＷＰ、または一部の制御リソースセット、または一部の探索空間セットを選択して下り制御チャネルを検出しているが、全ての探索空間セットで下り制御チャネルを検出するよりも、探索空間セットの数を減らすことができる。本発明の実施例は、これに限定されず、ＢＷＰ、制御リソースセット、探索空間セットのうちのいずれか２つまたは３つと組み合わせて最終的な探索空間セットを選択してもよく、例えば、ＢＷＰ１ (すなわち、ＢＷＰ１に含まれる全ての探索空間セット)、ＢＷＰ２のＣ２ '個の制御リソースセット、ＢＷＰ３のＳ３ '個の探索空間セットを選択してもよい。
【００４８】
本発明の実施例の技術案は、ＢＷＰ、制御リソースセット、探索空間セットにおいて異なる組み合わせで柔軟に最終的な探索空間セットを選択できる。
【００４９】
なお、本発明の実施例に係る技術案は、前記端末が前記Ｋ個のＢＷＰのうちの下り制御チャネルによりスケジューリングされるリソースを決定することを含み、ここで、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００５０】
2021516888.tif 000020
【００５１】
2021516888.tif 000021
【００５２】
本発明の実施例において、前記ネットワークデバイスの指示情報は、
ＢＷＰの指示情報、制御リソースセットの指示情報、探索空間セットの指示情報のうちの少なくとも１つを含む。
【００５３】
このように、端末が前記ＢＷＰの指示情報に基づいて決定されたＢＷＰにおいて下り制御チャネルを検出し、及び／又は、前記端末が前記制御リソースセットの指示情報に基づいて決定された制御リソースセットにおいて下り制御チャネルを検出し、及び／又は、前記端末が前記探索空間セットの指示情報に基づいて決定された探索空間セットにおいて下り制御チャネルを検出することができる。
【００５４】
本発明の実施例において、前記ネットワークデバイスの指示情報は、ＤＣＩ、ＲＲＣシグナリング、又はＳＩである。
【００５５】
本発明の実施例において、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００５６】
以下、具体的な適用例を挙げて本発明の実施例の技術案についてさらに説明する。
【００５７】
例１：ＰＤＣＣＨを検出するＢＷＰを所定の規則で決定する
図５に示すように、ＢＷＰ１のサブキャリア間隔= １５ ｋＨｚ、ＢＷＰ２のサブキャリア間隔= ３０ ｋＨｚである。ＢＷＰ１とＢＷＰ２には、各タイムスロットに２つの探索空間セットがある。単位時間内のＢＷＰ２上の探索空間セットの数はＢＷＰ１の２倍であるため、端末はＢＷＰ２の探索空間セットでＰＤＣＣＨを検出すればよく、ＢＷＰ１の探索空間セットでＰＤＣＣＨを検出せず、ＢＷＰ１内のリソースをＢＷＰ２内のＰＤＣＣＨでスケジューリングする。
これにより、端末は、２つのＢＷＰの探索空間で同時にＰＤＣＣＨを検出する必要がなくなり、制御シグナリングオーバーヘッドを大幅に節約し、端末がＰＤＣＣＨを検出する複雑さ及び電力消費を低減する。
【００５８】
例２：ネットワークデバイスの明示的な指示により、ＰＤＣＣＨを検出するＢＷＰを決定する
図６に示すように、ＢＷＰ１のサブキャリア間隔= １５ ｋＨｚ、ＢＷＰ２のサブキャリア間隔= ３０ ｋＨｚである。ＢＷＰ１には、各タイムスロットに４つの探索空間セットがある。ＢＷＰ２では、各タイムスロットに２つの探索空間セットがある。ビット時間内であるため、ＢＷＰ１とＢＷＰ２における探索空間セットの数は同じである。基地局の指示情報に応じて、端末はＢＷＰ２の探索空間セットでＰＤＣＣＨを検出し、ＢＷＰ１の探索空間セットでＰＤＣＣＨを検出しなく、ＢＷＰ１でのリソースはＢＷＰ２でのＰＤＣＣＨでスケジューリングされる。
【００５９】
これにより、端末は、２つのＢＷＰの探索空間で同時にＰＤＣＣＨを検出する必要がなくなり、制御シグナリングオーバーヘッドを大幅に節約し、端末がＰＤＣＣＨを検出する複雑さ及び電力消費を低減する。
【００６０】
2021516888.tif 000022
【００６１】
2021516888.tif 000023
ある実施例において、前記所定の規則は、
前記Ｎ個のＢＷＰのうちのサブキャリア間隔が最大又は最小であるＫ個のＢＷＰ、
前記Ｎ個のＢＷＰのうちの帯域幅が最大又は最小であるＫ個のＢＷＰ、
【００６２】
ある実施例において、前記ネットワークデバイスの指示情報は、
ＢＷＰの指示情報、制御リソースセットの指示情報、探索空間セットの指示情報のうちの少なくとも１つを含む。
【００６３】
ある実施例において、前記検出ユニット７０２は、前記ＢＷＰの指示情報に基づいて決定されたＢＷＰにおいて下り制御チャネルを検出し、及び／又は、前記制御リソースセットの指示情報に基づいて決定された制御リソースセットにおいて下り制御チャネルを検出し、及び／又は、前記探索空間セットの指示情報に基づいて決定された探索空間セットにおいて下り制御チャネルを検出するように構成される。
【００６４】
ある実施例において、前記ネットワークデバイスの指示情報は、ＤＣＩ、ＲＲＣシグナリング、又はＳＩである。
【００６５】
ある実施例において、前記装置は、さらに、第２の決定ユニット７０３を含み、
第２の決定ユニット７０３は、前記Ｋ個のＢＷＰのうちの下り制御チャネルによりスケジューリングされるリソースを決定するように構成され、ここで、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００６６】
図７に示すチャネル検出装置の各ユニットの実現機能は、上述したチャネル検出方法の説明を参酌して理解され得ることは、当業者には理解されるであろう。図７に示すチャネル検出装置における各ユニットの機能は、プロセッサ上で動作するプログラムにより実現されてもよいし、具体的な論理回路により実現されてもよい。
【００６７】
2021516888.tif 000024
【００６８】
2021516888.tif 000025
【００６９】
2021516888.tif 000026
【００７０】
ある実施例において、前記指示情報は、
ＢＷＰの指示情報、制御リソースセットの指示情報、探索空間セットの指示情報のうちの少なくとも１つを含む。
【００７１】
ある実施例において、前記指示情報は、ＤＣＩ、ＲＲＣシグナリング、又はＳＩである。
【００７２】
ある実施例において、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００７３】
図８に示すチャネル検出装置の各ユニットの実現機能は、上述したチャネル検出方法の説明を参酌して理解され得ることは、当業者には理解されるところである。図８に示すチャネル検出装置における各ユニットの機能は、プロセッサ上で動作するプログラムにより実現されてもよいし、具体的な論理回路により実現されてもよい。
【００７４】
本発明の実施例によるチャネル検出装置は、ソフトウェア機能モジュールの形態で実現され、独立した製品として販売または使用される場合、一つのコンピュータ読み取り可能な記録媒体に記録されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、Ｕ字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【００７５】
したがって、本発明の実施例は、プロセッサによって実行されたときに、本発明の実施形態の上述のチャネル検出方法を実施するコンピュータ実行可能命令を記憶したコンピュータ記憶媒体をさらに提供する。
【００７６】
図９は、本発明の実施例に係るコンピュータデバイスの構成を示す図であり、このコンピュータデバイスは端末であってもネットワーク装置であってもよい。図９に示すように、コンピュータデバイス１００は、１つ又は複数の(図面には１つのみ示す)プロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含み得るが、これらに限定されない)、データを記憶するためのメモリ１００４、及び通信機能のための伝送装置１００６を含み得る。図９に示す構成は、例示であり、上述した電子装置の構成に限定されないことは、当業者に理解されるところである。例えば、コンピュータ装置１００は、図９に示されるよりも多いか少ない構成要素をさらに含んでもよく、又は図９に示されるものとは異なる構成を有してもよい。
【００７７】
メモリ１００４は、本発明の実施形態における方法に対応するプログラム命令/モジュールのような、アプリケーションのソフトウェアプログラム及びモジュールを格納するために使用されてもよく、プロセッサ１００２は、メモリ１００４に格納されたソフトウェアプログラム及びモジュールを実行することによって、様々な機能アプリケーション及びデータ処理を実行し、すなわち、上記の方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【００７８】
伝送装置１００６は、ネットワークを介してデータを送受信するための装置である。上記のネットワークの具体例は、コンピュータ装置１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【００７９】
本発明の実施例に記載した技術的手段は、矛盾なき限り、任意に組み合わせることができる。
【００８０】
本発明によって提供されるいくつかの実施形態において、開示される方法およびスマートデバイスは、他の方法で実現されてもよいことが理解されるべきである。なお、以上の装置の実施形態はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【００８１】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよい。また、本実施形態の目的を達成する手段の一部又は全部を、必要に応じて選択することができる。
【００８２】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよい。上記の統合されたユニットは、ハードウェアの形態で実現されてもよいし、ハードウェア及びソフトウェア機能ユニットの形態で実現されてもよい。
【００８３】
以上、本発明の具体的な実施形態について説明したが、本発明の技術的範囲はこれに限定されるものではなく、本発明が属する技術分野で通常の知識を有する者であれば、本発明の技術的範囲内で容易に変更や置換をなし得ることは自明である。
【図１】
2021516888.tif 000039
【図２】
2021516888.tif 000040
【図３】
2021516888.tif 000041
【図４】
2021516888.tif 000042
【図５】
2021516888.tif 000043
【図６】
2021516888.tif 000044
【図７】
2021516888.tif 000045
【図８】
2021516888.tif 000046
【図９】
2021516888.tif 000047
【手続補正書】
【提出日】令和3年1月12日(2021.1.12)
【手続補正１】
【補正対象書類名】明細書
【補正対象項目名】全文
【補正方法】変更
【補正の内容】
【発明の詳細な説明】
【技術分野】
【０００１】
本発明は、無線通信技術分野に関し、特に、チャネル検出方法、装置及びコンピュータ記憶媒体に関する。
【背景技術】
【０００２】
ロングタームエボリューション( ＬＴＥ、Ｌｏｎｇ Ｔｅｒｍ Ｅｖｏｌｕｔｉｏｎ )システムでは、端末の周波数領域リソースは、システム帯域幅全体にわたって割り当てられる。第５世代( ５Ｇ、５ ｔｈ Ｇｅｎｅｒａｔｉｏｎ )の新規ラジオ( ＮＲ、Ｎｅｗ Ｒａｄｉｏ )システムでは、システム帯域幅が大幅に増加するため、端末の伝送帯域幅がシステム帯域幅の一部しか占有することができない。
【０００３】
現在の５Ｇ ＮＲの研究では、帯域幅部分( ＢＷＰ、Ｂａｎｄ Ｗｉｄｔｈ Ｐａｒｔ )概念を導入し、システム帯域幅よりも狭い範囲の周波数領域リソース割り当てを実現することが決定されている。基地局は、無線リソース制御( ＲＲＣ、Ｒａｄｉｏ Ｒｅｓｏｕｒｃｅ Ｃｏｎｔｒｏｌ )シグナリングにより複数のＢＷＰを構成し、その後、下り制御情報( ＤＣＩ、Ｄｏｗｎｌｉｎｋ Ｃｏｎｔｒｏｌ Ｉｎｆｏｒｍａｔｉｏｎ )の中で動的にあるＢＷＰを活性化してもよい。各ＢＷＰは、１つのパラメータセットに基づき、パラメータセットは、サブキャリア間隔、サイクリックプレフィックス( ＣＰ、Ｃｙｃｌｉｃ Ｐｒｅｆｉｘ )を含む。この方式では、１つの端末に対して１つのＢＷＰのみを活性化し、新たなＢＷＰを活性化すると同時に、元のＢＷＰを非活性化する。
【０００４】
図１に示すように、ＢＷＰ１が活性化状態にあるとき、ＢＷＰ２を活性化すれば、ＢＷＰ１は非活性化され、ＢＷＰ１が再び活性化される場合、ＢＷＰ２は非活性化される。ＢＷＰ毎に物理下り制御チャネル( ＰＤＣＣＨ、Ｐｈｙｓｉｃａｌ Ｄｏｗｎｌｉｎｋ Ｃｏｎｔｒｏｌ Ｃｈａｎｎｅｌ )の制御リソースセット( ＣＯＲＥＳＥＴ、Ｃｏｎｔｒｏｌ Ｒｅｓｏｕｒｃｅ Ｓｅｔ )及び探索空間( ＳＳ、Ｓｅａｒｃｈ Ｓｐａｃｅ )がそれぞれ構成されており、あるＢＷＰが活性化されると、端末は、このＢＷＰに対応するＣＯＲＥＳＥＴ / ＳＳ配置に従ってＰＤＣＣＨをブラインド検出する。
【０００５】
従来技術では、複数のＢＷＰを同時に活性化することをサポートできず、複数のパラメータセットを同時に使用することをサポートできず、複数のタイプのサービスを並列に伝送する際に、異なるサービスに対してパラメータセットをそれぞれ最適化することができない。さらに、２つのパラメータセットを切り替えると、２つのＢＷＰが切り替わり、端末の無線周波数帯域が切り替わり、無線周波数帯域が切り替わることにより、端末がデータを受信または送信できなくなる期間が生じ、スペクトルリソースが浪費される。
【０００６】
しかし、複数のＢＷＰを同時に活性化すると、１つの端末が複数のＢＷＰで同時にＰＤＣＣＨを検出することになり、シグナリングオーバーヘッドの浪費と端末の複雑度及び消費電力の上昇を招く。図２に示すように、ＢＷＰ１のサブキャリア間隔= １５ ｋＨｚ、ＢＷＰ２のサブキャリア間隔= ３０ ｋＨｚである。ＢＷＰ１およびＢＷＰ２では、各タイムスロットに２つの探索空間セットがある。ＢＷＰ１における探索空間のセットは、時間領域においてＢＷＰ２の探索空間と部分的に重複し、これにより、ある時点で、端末は、２つのＢＷＰで同時にＰＤＣＣＨを検出しなければならず、追加の制御シグナリングと、より高い端末複雑性と、消費電力とをもたらすことが分かる。
【発明の概要】
【０００７】
本発明の実施例は、以上の課題を解決するために、チャネル検出方法、装置及びコンピュータ記憶媒体を提供する。
【０００８】
2021516888.tif 000048
【０００９】
2021516888.tif 000049
【００１０】
2021516888.tif 000050
【００１１】
本発明の実施例において、前記ネットワークデバイスの指示情報は、ＤＣＩ、ＲＲＣシグナリング、又はシステム情報（ＳＩ、Ｓｙｓｔｅｍ Ｉｎｆｏｒｍａｔｉｏｎ）である。
【００１２】
本発明の実施例において、前記方法は、さらに、
前記端末が前記Ｋ個のＢＷＰのうちの下り制御チャネルによりスケジューリングされるリソースを決定することを含み、ここで、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００１３】
2021516888.tif 000051
【００１４】
2021516888.tif 000052
【００１５】
2021516888.tif 000053
【００１６】
本発明の実施例において、前記ネットワークデバイスの指示情報は、
ＢＷＰの指示情報、制御リソースセットの指示情報、探索空間セットの指示情報のうちの少なくとも１つを含む。
【００１７】
本発明の実施例において、前記ネットワークデバイスの指示情報は、ＤＣＩ、ＲＲＣシグナリング、又はＳＩである。
【００１８】
本発明の実施例において、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００１９】
2021516888.tif 000054
【００２０】
2021516888.tif 000055
【００２１】
本発明の実施例において、前記ネットワークデバイスの指示情報は、
ＢＷＰの指示情報、制御リソースセットの指示情報、探索空間セットの指示情報のうちの少なくとも１つを含む。
【００２２】
本発明の実施例において、前記検出ユニットは、前記ＢＷＰの指示情報に基づいて決定されたＢＷＰにおいて下り制御チャネルを検出し、及び／又は、前記制御リソースセットの指示情報に基づいて決定された制御リソースセットにおいて下り制御チャネルを検出し、及び／又は、前記探索空間セットの指示情報に基づいて決定された探索空間セットにおいて下り制御チャネルを検出するように構成される。
【００２３】
本発明の実施例において、前記ネットワークデバイスの指示情報は、ＤＣＩ、ＲＲＣシグナリング、又はＳＩである。
【００２４】
本発明の実施例において、前記装置は、さらに、第２の決定ユニットを含み、
第２の決定ユニットは、前記Ｋ個のＢＷＰのうちの下り制御チャネルによりスケジューリングされるリソースを決定するように構成され、ここで、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００２５】
2021516888.tif 000056
【００２６】
2021516888.tif 000057
【００２７】
2021516888.tif 000058
【００２８】
本発明の実施例において、前記指示情報は、
ＢＷＰの指示情報、制御リソースセットの指示情報、探索空間セットの指示情報のうちの少なくとも１つを含む。
【００２９】
本発明の実施例において、前記指示情報は、ＤＣＩ、ＲＲＣシグナリング、又はＳＩである。
【００３０】
本発明の実施例において、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００３１】
本発明の実施例は、プロセッサによって実行されると、上述したチャネル検出方法を実現するコンピュータ実行可能命令を記憶したコンピュータ記憶媒体を提供する。
【００３２】
2021516888.tif 000059
【図面の簡単な説明】
【００３３】
本明細書に記載された図面は、本発明の更なる理解を提供するために提供されたものであり、本願の一部を構成し、本発明の例示的な実施形態及びその説明は、本発明を説明するためのものであり、本発明を限定するものではない。
【図１】１つのＢＷＰのみが活性化状態になることができる模式図である。
【図２】複数のＢＷＰの場合に全ての探索空間セットにおいてＰＤＣＣＨ検出を行う模式図である。
【図３】本発明の実施例におけるチャネル検出方法のフローチャート一である。
【図４】本発明の実施例におけるチャネル検出方法ののフローチャート二である。
【図５】本発明の実施例における所定の規則でＰＤＣＣＨ検出のＢＷＰを決定する模式図である
【図６】本発明の実施例におけるネットワークデバイスの明示的指示によるＰＤＣＣＨの検出のためのＢＷＰの決定を示す模式図である。
【図７】本発明の実施例におけるチャネル検出装置の構成図一である。
【図８】本発明の実施例におけるチャネル検出装置の構成図二である。
【図９】本発明の実施例におけるコンピュータデバイスの構成図である。
【発明を実施するための形態】
【００３４】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００３５】
2021516888.tif 000060
【００３６】
本発明の実施例において、前記端末は、携帯電話、タブレット、ラップトップ、デスクトップなど、ネットワークと通信できる任意の機器であってよい。
【００３７】
本発明の実施例において、前記ネットワークデバイスは、基地局、例えば５ＧシステムのｇＮＢである。
【００３８】
本発明の実施例において、端末に対応するＮ個の下りＢＷＰが活性化状態にあり、Ｎ≧２、例えば、ＢＷＰ１、ＢＷＰ２、ＢＷＰ３、ＢＷＰ４が活性化状態にあり、ここで、ＢＷＰ１にＣ１個の制御リソースセット及びＳ１個の探索空間セットが構成されており、なお、１つのＢＷＰが複数の制御リソースセットを含み、１つの制御リソースセットが複数の探索空間セットを含み、同様に、ＢＷＰ２にＣ２個の制御リソースセット及びＳ２個の探索空間セットが構成されており、ＢＷＰ３にＣ３個の制御リソースセット及びＳ３個の探索空間セットが構成されており、ＢＷＰ４にＣ４個の制御リソースセット及びＳ４個の探索空間セットが構成されておる。
【００３９】
2021516888.tif 000061
【００４０】
2021516888.tif 000062
【００４１】
これにより、前記端末が前記ＢＷＰの指示情報に基づいて決定されたＢＷＰにおいて下り制御チャネルを検出し、及び／又は、前記端末が前記制御リソースセットの指示情報に基づいて決定された制御リソースセットにおいて下り制御チャネルを検出し、及び／又は、前記端末が前記探索空間セットの指示情報に基づいて決定された探索空間セットにおいて下り制御チャネルを検出する。
【００４２】
ある実施例において、前記ネットワークデバイスの指示情報は、ＤＣＩ、ＲＲＣシグナリング、又はＳＩである。
【００４３】
2021516888.tif 000063
【００４４】
例えば、端末に対応するＢＷＰ１、ＢＷＰ２、ＢＷＰ３、ＢＷＰ４が活性化状態にあり、ここで、ＢＷＰ１にＣ１個の制御リソースセット及びＳ１個の探索空間セットが構成され、なお、１つのＢＷＰが複数の制御リソースセットを含み、１つの制御リソースセットが複数の探索空間セットを含み、同様に、ＢＷＰ２にＣ２個の制御リソースセット及びＳ２個の探索空間セットが構成され、ＢＷＰ３にＣ３個の制御リソースセット及びＳ３個の探索空間セットが構成され、ＢＷＰ４にＣ４個の制御リソースセット及びＳ４個の探索空間セットが構成される。
【００４５】
2021516888.tif 000064
【００４６】
以上の例では、一部のＢＷＰ、または一部の制御リソースセット、または一部の探索空間セットを選択して下り制御チャネルを検出しているが、全ての探索空間セットで下り制御チャネルを検出するよりも、探索空間セットの数を減らすことができる。本発明の実施例は、これに限定されず、ＢＷＰ、制御リソースセット、探索空間セットのうちのいずれか２つまたは３つと組み合わせて最終的な探索空間セットを選択してもよく、例えば、ＢＷＰ１ (すなわち、ＢＷＰ１に含まれる全ての探索空間セット)、ＢＷＰ２のＣ２ '個の制御リソースセット、ＢＷＰ３のＳ３ '個の探索空間セットを選択してもよい。
【００４７】
本発明の実施例の技術案は、ＢＷＰ、制御リソースセット、探索空間セットにおいて異なる組み合わせで柔軟に最終的な探索空間セットを選択できる。
【００４８】
なお、本発明の実施例に係る技術案は、前記端末が前記Ｋ個のＢＷＰのうちの下り制御チャネルによりスケジューリングされるリソースを決定することを含み、ここで、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００４９】
図４は本発明の実施例におけるチャネル検出方法のフローチャート二であり、図４に示すように、前記チャネル検出方法は、以下のステップを含み、
【００５０】
2021516888.tif 000065
【００５１】
2021516888.tif 000066
【００５２】
本発明の実施例において、前記ネットワークデバイスの指示情報は、
ＢＷＰの指示情報、制御リソースセットの指示情報、探索空間セットの指示情報のうちの少なくとも１つを含む。
【００５３】
このように、端末が前記ＢＷＰの指示情報に基づいて決定されたＢＷＰにおいて下り制御チャネルを検出し、及び／又は、前記端末が前記制御リソースセットの指示情報に基づいて決定された制御リソースセットにおいて下り制御チャネルを検出し、及び／又は、前記端末が前記探索空間セットの指示情報に基づいて決定された探索空間セットにおいて下り制御チャネルを検出することができる。
【００５４】
本発明の実施例において、前記ネットワークデバイスの指示情報は、ＤＣＩ、ＲＲＣシグナリング、又はＳＩである。
【００５５】
本発明の実施例において、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００５６】
以下、具体的な適用例を挙げて本発明の実施例の技術案についてさらに説明する。
【００５７】
例１：ＰＤＣＣＨを検出するＢＷＰを所定の規則で決定する
図５に示すように、ＢＷＰ１のサブキャリア間隔= １５ ｋＨｚ、ＢＷＰ２のサブキャリア間隔= ３０ ｋＨｚである。ＢＷＰ１とＢＷＰ２には、各タイムスロットに２つの探索空間セットがある。単位時間内のＢＷＰ２上の探索空間セットの数はＢＷＰ１の２倍であるため、端末はＢＷＰ２の探索空間セットでＰＤＣＣＨを検出すればよく、ＢＷＰ１の探索空間セットでＰＤＣＣＨを検出せず、ＢＷＰ１内のリソースをＢＷＰ２内のＰＤＣＣＨでスケジューリングする。
【００５８】
これにより、端末は、２つのＢＷＰの探索空間で同時にＰＤＣＣＨを検出する必要がなくなり、制御シグナリングオーバーヘッドを大幅に節約し、端末がＰＤＣＣＨを検出する複雑さ及び電力消費を低減する。
【００５９】
例２：ネットワークデバイスの明示的な指示により、ＰＤＣＣＨを検出するＢＷＰを決定する
図６に示すように、ＢＷＰ１のサブキャリア間隔= １５ ｋＨｚ、ＢＷＰ２のサブキャリア間隔= ３０ ｋＨｚである。ＢＷＰ１には、各タイムスロットに４つの探索空間セットがある。ＢＷＰ２では、各タイムスロットに２つの探索空間セットがある。ビット時間内であるため、ＢＷＰ１とＢＷＰ２における探索空間セットの数は同じである。基地局の指示情報に応じて、端末はＢＷＰ２の探索空間セットでＰＤＣＣＨを検出し、ＢＷＰ１の探索空間セットでＰＤＣＣＨを検出しなく、ＢＷＰ１でのリソースはＢＷＰ２でのＰＤＣＣＨでスケジューリングされる。
【００６０】
これにより、端末は、２つのＢＷＰの探索空間で同時にＰＤＣＣＨを検出する必要がなくなり、制御シグナリングオーバーヘッドを大幅に節約し、端末がＰＤＣＣＨを検出する複雑さ及び電力消費を低減する。
【００６１】
2021516888.tif 000067
【００６２】
2021516888.tif 000068
【００６３】
ある実施例において、前記ネットワークデバイスの指示情報は、
ＢＷＰの指示情報、制御リソースセットの指示情報、探索空間セットの指示情報のうちの少なくとも１つを含む。
【００６４】
ある実施例において、前記検出ユニット７０２は、前記ＢＷＰの指示情報に基づいて決定されたＢＷＰにおいて下り制御チャネルを検出し、及び／又は、前記制御リソースセットの指示情報に基づいて決定された制御リソースセットにおいて下り制御チャネルを検出し、及び／又は、前記探索空間セットの指示情報に基づいて決定された探索空間セットにおいて下り制御チャネルを検出するように構成される。
【００６５】
ある実施例において、前記ネットワークデバイスの指示情報は、ＤＣＩ、ＲＲＣシグナリング、又はＳＩである。
【００６６】
ある実施例において、前記装置は、さらに、第２の決定ユニット７０３を含み、
第２の決定ユニット７０３は、前記Ｋ個のＢＷＰのうちの下り制御チャネルによりスケジューリングされるリソースを決定するように構成され、ここで、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００６７】
図７に示すチャネル検出装置の各ユニットの実現機能は、上述したチャネル検出方法の説明を参酌して理解され得ることは、当業者には理解されるであろう。図７に示すチャネル検出装置における各ユニットの機能は、プロセッサ上で動作するプログラムにより実現されてもよいし、具体的な論理回路により実現されてもよい。
【００６８】
2021516888.tif 000069
【００６９】
2021516888.tif 000070
【００７０】
2021516888.tif 000071
【００７１】
ある実施例において、前記指示情報は、
ＢＷＰの指示情報、制御リソースセットの指示情報、探索空間セットの指示情報のうちの少なくとも１つを含む。
【００７２】
ある実施例において、前記指示情報は、ＤＣＩ、ＲＲＣシグナリング、又はＳＩである。
【００７３】
ある実施例において、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む。
【００７４】
図８に示すチャネル検出装置の各ユニットの実現機能は、上述したチャネル検出方法の説明を参酌して理解され得ることは、当業者には理解されるところである。図８に示すチャネル検出装置における各ユニットの機能は、プロセッサ上で動作するプログラムにより実現されてもよいし、具体的な論理回路により実現されてもよい。
【００７５】
本発明の実施例によるチャネル検出装置は、ソフトウェア機能モジュールの形態で実現され、独立した製品として販売または使用される場合、一つのコンピュータ読み取り可能な記録媒体に記録されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、Ｕ字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【００７６】
したがって、本発明の実施例は、プロセッサによって実行されたときに、本発明の実施形態の上述のチャネル検出方法を実施するコンピュータ実行可能命令を記憶したコンピュータ記憶媒体をさらに提供する。
【００７７】
図９は、本発明の実施例に係るコンピュータデバイスの構成を示す図であり、このコンピュータデバイスは端末であってもネットワーク装置であってもよい。図９に示すように、コンピュータデバイス１００は、１つ又は複数の(図面には１つのみ示す)プロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含み得るが、これらに限定されない)、データを記憶するためのメモリ１００４、及び通信機能のための伝送装置１００６を含み得る。図９に示す構成は、例示であり、上述した電子装置の構成に限定されないことは、当業者に理解されるところである。例えば、コンピュータ装置１００は、図９に示されるよりも多いか少ない構成要素をさらに含んでもよく、又は図９に示されるものとは異なる構成を有してもよい。
【００７８】
メモリ１００４は、本発明の実施形態における方法に対応するプログラム命令/モジュールのような、アプリケーションのソフトウェアプログラム及びモジュールを格納するために使用されてもよく、プロセッサ１００２は、メモリ１００４に格納されたソフトウェアプログラム及びモジュールを実行することによって、様々な機能アプリケーション及びデータ処理を実行し、すなわち、上記の方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【００７９】
伝送装置１００６は、ネットワークを介してデータを送受信するための装置である。上記のネットワークの具体例は、コンピュータ装置１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【００８０】
本発明の実施例に記載した技術的手段は、矛盾なき限り、任意に組み合わせることができる。
【００８１】
本発明によって提供されるいくつかの実施形態において、開示される方法およびスマートデバイスは、他の方法で実現されてもよいことが理解されるべきである。なお、以上の装置の実施形態はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【００８２】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよい。また、本実施形態の目的を達成する手段の一部又は全部を、必要に応じて選択することができる。
【００８３】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよい。上記の統合されたユニットは、ハードウェアの形態で実現されてもよいし、ハードウェア及びソフトウェア機能ユニットの形態で実現されてもよい。
【００８４】
以上、本発明の具体的な実施形態について説明したが、本発明の技術的範囲はこれに限定されるものではなく、本発明が属する技術分野で通常の知識を有する者であれば、本発明の技術的範囲内で容易に変更や置換をなし得ることは自明である。
【手続補正２】
【補正対象書類名】特許請求の範囲
【補正対象項目名】全文
【補正方法】変更
【補正の内容】
【特許請求の範囲】
【請求項１】
2021516888.tif 000072
【請求項２】
2021516888.tif 000073
【請求項３】
前記ネットワークデバイスの指示情報は、
ＢＷＰの指示情報、制御リソースセットの指示情報、探索空間セットの指示情報のうちの少なくとも１つを含む
ことを特徴とする請求項１に記載のチャネル検出方法。
【請求項４】
2021516888.tif 000074
【請求項５】
前記ネットワークデバイスの指示情報は、下り制御情報ＤＣＩ、無線ソース制御ＲＲＣシグナリング、又はシステム情報ＳＩである
ことを特徴とする請求項１〜４のいずれか１項に記載のチャネル検出方法。
【請求項６】
前記方法は、さらに、
前記端末が前記Ｋ個のＢＷＰのうちの下り制御チャネルによりスケジューリングされるリソースを決定することを含み、前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む
ことを特徴とする請求項１〜５のいずれか１項に記載のチャネル検出方法。
【請求項７】
2021516888.tif 000075
【請求項８】
2021516888.tif 000076
【請求項９】
2021516888.tif 000077
【請求項１０】
前記ネットワークデバイスの指示情報は、
ＢＷＰの指示情報、制御リソースセットの指示情報、探索空間セットの指示情報のうちの少なくとも１つを含む
ことを特徴とする請求項７〜９のいずれか１項に記載のチャネル検出方法。
【請求項１１】
前記ネットワークデバイスの指示情報は、ＤＣＩ、ＲＲＣシグナリング、又はＳＩである
ことを特徴とする請求項７〜１０のいずれか１項に記載のチャネル検出方法。
【請求項１２】
前記下り制御チャネルによりスケジューリングされるリソースは、前記Ｋ個のＢＷＰのリソース、及び／又は前記Ｎ個のＢＷＰのうちの前記Ｋ個のＢＷＰ以外のＢＷＰのリソースを含む
ことを特徴とする請求項７〜１１のいずれか１項に記載のチャネル検出方法。
【請求項１３】
請求項１〜６のいずれか１項に記載の方法のステップを実行するように構成される
ことを特徴とするチャネル検出装置。
【請求項１４】
請求項７〜１２のいずれか１項に記載の方法のステップを実行するように構成される
ことを特徴とするチャネル検出装置。
【請求項１５】
プロセッサによって実行されると、請求項１〜６のいずれか１項に記載の方法ステップ、又は請求項７〜１２のいずれか１項に記載の方法ステップを実現するコンピュータ実行可能命令を記憶した
ことを特徴とするコンピュータ記憶媒体。
【手続補正３】
【補正対象書類名】図面
【補正対象項目名】全図
【補正方法】変更
【補正の内容】
【図１】
2021516888.tif 000078
【図２】
2021516888.tif 000079
【図３】
2021516888.tif 000080
【図４】
2021516888.tif 000081
【図５】
2021516888.tif 000082
【図６】
2021516888.tif 000083
【図７】
2021516888.tif 000084
【図８】
2021516888.tif 000085
【図９】
2021516888.tif 000086
【国際調査報告】
2021516888.tif 000087
2021516888.tif 000088
2021516888.tif 000089
2021516888.tif 000090